【事件の表示】
　平成　１年特許願第２２７０３３号「画像データ記憶装置及び画像データ記憶方法」拒絶査定に対する審判事件［平成　３年　４月１６日出願公開、特開平　３−　９０９６７］について、次のとおり審決する。
【結　論】
　本件審判の請求は、成り立たない。
【理　由】
１．手続きの経緯・本願発明
　本願は、平成１年９月１日の出願であって、平成１１年４月２３日付け及び平成１３年８月２９日付けの手続補正によって補正された明細書及び図面の記載からみて、その請求項１乃至請求項３に係る発明は、その特許請求の範囲の請求項１乃至請求項３に記載されたとおりのものと認められるところ、その請求項１に記載された発明（以下、「本願発明」という。）は、次のとおりのものである。
　
　「画像読取用のモードと画像出力用のモードとのいずれかのモードを設定するモード設定手段と、
　このモード設定手段によって設定された画像読取用のモードにおいて、画像データの読取りを行う画像読取手段と、
　この画像読取手段で読み取られた画像データのうち、空白領域を除いた有効画像領域を矩形状の有効画像データブロックとして検出する有効ブロック検出手段と、
　この有効ブロック検出手段によって検出された矩形状の有効画像データブロックのコーナー部の各座標位置を検出し、この検出されたコーナー部の各座標位置を位置情報として出力する位置情報検出手段と、
　前記有効データブロック検出手段によって検出された有効画像データブロックと前記位置情報検出手段によって出力されたコーナー部の各座標位置の位置情報とを対応付けて記憶する画像データ記憶手段と、
　前記モード設定手段によって設定された画像出力用のモードにおいて、この画像データ記憶手段によって記憶された有効画像データブロックを読み出して、この有効画像データブロックを、前記画像データ記憶手段に対応して記憶されている位置情報によって定められた位置に配置することにより、画像データとして出力する出力制御手段と、
　を具備したことを特徴とする画像データ記憶装置。」
　　
２．引用刊行物
　これに対して、原審が拒絶の理由に引用した特開昭５８−２１４９５９号公報（昭和５８年１２月１４日出願公開、以下「引用例１」という。）には、図面とともに次の各記載がある。
　
（ア）「文字、図形等を含む画像について、画情報が有る領域のみを切り出し、その切り出した領域毎に画情報を階層構造とし、その階層構造に応じてその領域の分割、切り出しを行い圧縮ファイル化を繰り返すことを特徴とする画情報のファイル方法。」（第１頁特許請求の範囲）
　
（イ）「本発明はこれらの欠点を解決するために、画像情報の中、画情報のある領域のみを切り出し、階層構造として領域毎に圧縮してファイルすることにより、短い時間で、しかも少い使用メモリ量で画像の移動、拡大等の処理を行なえるように、情報を圧縮してファイル化を行なう方法であり、以下図面について詳細に説明する。」（第１頁右下欄第１７行〜第２頁左上欄第３行）
　
（ウ）「第２図は本発明による画情報のファイル方法を説明するための一実施例図で、（Ａ）は原稿で１，２及び３はそれぞれ原稿のページを示す。（Ｂ）は原稿１の内容を画情報のある領域で切り取った状況を示し、ここでは４は文字領域、５は図形領域、６は文字領域である場合を示す。この切り取った領域４，５及び６の各々に対して左上端のアドレスを（Ｘ1，Ｙ1），（Ｘ2，Ｙ2）及び（Ｘ3，Ｙ3）、また右下端のアドレスを（Ｘ′1，Ｙ′1），（Ｘ′2,Ｙ′2）及び（Ｘ′３，Ｙ′３）とする。（Ｃ）は原稿１，２及び３のファイル例を示し、７，８及び９はページを示すヘッダ、１０，１１及び１２は領域４，５及び６を示すヘッダ、１３，１４及び１５は領域４，５及び６の内容の圧縮したデータを示す。
　本発明におけるファイル方法は、まず第０層として、ファイルを行なう原稿に対して、ページのヘッダ７，８，９にページ名を入れる。次に第一層として、情報のある部分として切り取られた領域４，５，６に対して領域を示すヘッダ１０，１１，１２を付け、領域の先頭、終端アドレスや、領域の特性を示す情報を入れ、その後に領域内の情報を圧縮したデータ１３，１４，１５を付ける。」（第２頁左上欄第４行〜同頁右上欄第第５行）
　
（エ）「このような構造でファイル化を行なうと、原稿の多くをしめる白のみの部分はなくなり、代りにアドレスを示すヘッダだけとなり、さらに、その情報のある領域内は、文字、図形、中間調等の領域の特性に適した方法により圧縮することができるため、原稿の情報を圧縮することができる。また、このファイル圧縮法では、画像を領域単位で移動したり拡大縮小する処理などでは、容易に行なう事が可能であるという効果がある。」（第２頁右上欄第６〜１４行）
　
（オ）「第３図は本発明の一実施例として第２図（Ｂ）に示した領域４のデータの圧縮法を示すもので、第３図（Ａ）は領域４が文字領域である場合にその行に対応する領域１６，１７……を切り取ったものであり、先頭アドレスを（ｘ1，ｙ1），（ｘ2，ｙ2）とし、終端アドレスを（ｘ′1，ｙ′1），（ｘ′2，ｙ′2）とする。第３図（Ｂ）は行の領域１６について、文字相当の第三層の領域１８，１９……としたもので、その先頭アドレスを（α１，β１），（α２，β２）、終端アドレスを（α′１，β′１），（α′２，β′２）とする。第３図（Ｃ）は第２図（Ｃ）の圧縮データ１３の部分を階層ファイルとしてデータ圧縮した場合を示し、２０及び２１は行の領域１６及び１７に対するヘッダであり、２２及び２３は文字の領域１８及び１９のヘッダを示す。
　このファイル方法は第２図（Ｃ）の圧縮データ１３の内容に対して、さらに第二層として第一層と同様にヘッダ２０と圧縮データの形でファイルし、さらにその圧縮データを第三層ヘッダ２２，２３と圧縮データの形とにすることができる。」（第２ 頁右上欄第１５行〜同頁左下欄第１３行）
　
（カ）「第４図はこのファイル化を行なうための本発明の一実施例のブロック図を示す。
　まず入力した原稿３１に対して、第０層であるページのヘッダ３２をつけ、その原稿を第一層の領域分割３３を行ない、その分割したデータに第一層ヘッダ３４をつけて第一層のファイル３５とする。
　次にそのファイル３５をさらに階層化するかどうかの判別３６を行ない、階層化しない部分はデータ圧縮３７を行なってファイルメモリ３８へ送り、また、さらに階層化を進めるものは、その部分３９について再び領域の分割を行ない、第一層と同様の操作を行なって、すべてがデータ圧縮するまで繰返すものである。」（第２頁左下欄第１８行〜同頁右下欄第１２行）
　
（キ）「以上説明したように、本発明によれば、画像を圧縮した形でファイルし、しかもその圧縮されたファイルは階層的構造をもとにして作られているので、必要な階層において処理を行なう時、その処理部分を含む或る階層の一部の領域だけを取り出して処理を行なうことができるという利点がある。さらに、その処理も、移動に対してはヘッダを変えるだけであるとか、拡大、縮小などの画像変換は一部についてのみ行なえばよいため、容易にかつ処理時間も短く行なうことができ、使用メモリも少なくてよく、また、複数ページに対しても階層構造の一部と考えてファイルすることができる等の利点を有するものである。」（第２頁右下欄第１３行〜第３頁左上欄第５行）
　
３．対比
　そこで、本願発明と引用例１に記載された発明とを対比する。
　引用例１には、
（ａ）「文字、図形等を含む画像について、画情報が有る領域のみを切り出し」（前記（ア）参照。）
（ｂ）「画像情報の中、画情報のある領域のみを切り出し、階層構造として領域毎に圧縮してファイルする」（前記（イ）参照。）
（ｃ）「このような構造でファイル化を行なうと、原稿の多くをしめる白のみの部分はなくなり代わりにアドレスを示すヘッダだけとなり（中略）原稿の情報を圧縮することができる。」（前記（エ）を参照。）
と記載されており、
　この記載からみて、引用例１に記載された発明は、画情報のうち、画情報のある領域のみを切り出すのであるから、本願発明と引用例１に記載された発明とは、画像データ中の空白領域を除いた有効画像のみをデータブロックとして切り取り記憶することによって記憶容量の有効利用を図るという点で差異はない。
　そして、画像データ中の空白領域を除いた画像部分のデータのみを記憶し記憶容量の有効利用を図るという技術思想は、例えば、原審が拒絶の理由で引用した特開昭６２−１２０７７７号公報（第１頁左下欄第１６行〜同頁右下欄第９行、第１頁右下欄第２０行〜第２頁左下欄第３行、及び図面参照。）、特開６０−１６０４７５号公報（第２頁左下欄第７行〜第３頁左上欄第１行、第４頁右上欄第６行〜同頁左下欄第８行、及び図面参照。）、特開昭６２−２１２７７３号公報（第２頁右上欄第１３行〜第３頁左上欄第４行、及び図面参照。）にもその旨の記載があるように当業者には周知な事項である。
　
　引用例１には、
（ｄ）「（Ｂ）は原稿１の内容を画情報のある領域で切り取った状況を示し、ここでは４は文字領域、５は図形領域、６は文字領域である場合を示す。この切り取った領域４，５及び６の各々に対して左上端のアドレスを（Ｘ1，Ｙ1），（Ｘ2，Ｙ2）及び（Ｘ3，Ｙ3）、また右下端のアドレスを（Ｘ′1，Ｙ′1），（Ｘ′2，Ｙ′2）及び（Ｘ′３，Ｙ′３）とする。」（前記ウ）参照。）
（ｅ）「第３図（Ａ）は領域４が文字領域である場合にその行に対応する領域１６，１７……を切り取ったものであり、先頭アドレスを（ｘ1，ｙ1），（ｘ2，ｙ2）とし、終端アドレスを（ｘ′1，ｙ′1），（ｘ′2，ｙ′2）とする。第３図（Ｂ）は行の領域１６について、文字相当の第三層の領域１８，１９……としたもので、その先頭アドレスを（α１，β１），（α２，β２）、終端アドレスを（α′１，β′１），（α′２，β′２）とする。」前記（オ）参照。）
と記載されており、
　この記載によれば、引用例１に記載された発明は、矩形状の有効画像ブロックを検出し、切り出しているから、引用例１に記載された発明は、画像データのうち、空白領域を除いた有効画像領域を矩形状の有効画像データブロックとして検出する有効ブロック検出手段を有するものであり、また、引用例１に記載された発明は、矩形状の有効画像データブロックのコーナー部の各座標位置情報、例えば「（Ｘ1，Ｙ1），（Ｘ2，Ｙ2），（Ｘ3，Ｙ3），（Ｘ′1，Ｙ′1），（Ｘ′2，Ｙ′2），（Ｘ′３，Ｙ′３）」を検出しているから、引用例１に記載された発明は、矩形状の有効画像データブロックのコーナー部の各座標位置を検出し、この検出されたコーナー部の各座標位置を位置情報として出力する位置情報検出手段を有するものである。
　
　引用例１には、
（ｈ）「本発明におけるファイル方法は、まず第０層として、ファイルを行なう原稿に対して、ページのヘッダ７，８，９にページ名を入れる。次に第一層として、情報のある部分として切り取られた領域４，５，６に対して領域を示すヘッダ１０，１１，１２を付け、領域の先頭、終端アドレスや、領域の特性を示す情報を入れ、その後に領域内の情報を圧縮したデータ１３，１４，１５を付ける。」（前記（ウ）参照。）
（ｉ）「第３図（Ｃ）は第２図（Ｃ）の圧縮データ１３の部分を階層ファイルとしてデータ圧縮した場合を示し、２０及び２１は行の領域１６及び１７に対するヘッダであり、２２及び２３は文字の領域１８及び１９のヘッダを示す。このファイル方法は第２図（Ｃ）の圧縮データ１３の内容に対して、さらに第二層として第一層と同様にヘッダ２０と圧縮データの形でファイルし、さらにその圧縮データを第三層ヘッダ２２，２３と圧縮データの形とにすることができる。」（前記（オ）参照。）
と記載されており、
　この記載によれば、引用例１に記載された発明は、有効画像データブロックと位置情報検出手段によって出力されたコーナー部の各座標位置の位置情報とを対応付けて記憶する画像データ記憶手段（ファイルメモリ８が相当する。）を有するものである。
　
（一致点）
　　そうすると、本願発明と引用例１に記載された発明とは、
　「画像データのうち、空白領域を除いた有効画像領域を矩形状の有効画像データブロックとして検出する有効ブロック検出手段と、
　この有効ブロック検出手段によって検出された矩形状の有効画像データブロックのコーナー部の各座標位置を検出し、この検出されたコーナー部の各座標位置を位置情報として出力する位置情報検出手段と、
　前記有効データブロック検出手段によって検出された有効画像データブロックと前記位置情報検出手段によって出力されたコーナー部の各座標位置の位置情報とを対応付けて記憶する画像データ記憶手段と、
　を具備したことを特徴とする画像データ記憶装置。」
である点で一致し、次の点で相違する。  
　
（相違点）
　本願発明は、「画像データの読取りを行なう画像読取手段」、「画像読取用のモードと画像出力用のモードとのいずれかのモードを設定するモード設定手段」、及び「有効画像データブロックを、前記画像データ記憶手段に対応して記憶されている位置情報によって定められた位置に配置することにより、画像データとして出力する出力制御手段」を有するのに対し、引用例１に記載された発明は、該読取手段、該モード設定手段、及び該出力制御手段を有する旨を明示しない点。
　
４．当審の判断
（相違点について）
（１）画像処理を実行するためには、先ず、処理対象画像を読み取ることが最低限必要とされることは、当業者には自明な技術常識である。
　しかるに、例えば、原審が拒絶の理由で引用した特開昭６２−１２０７７７号公報（画像入力装置１２に関する記載参照。）、特開昭６２−２１２７７３号公報（文書画像入力部１に関する記載を参照。）、特開昭６０−１６０４７５号公報（画像入力装置７０に関する記載参照。）、及び特開昭６３−２２８２６８号公報（イメージスキャナ（２）に関する記載を参照。）にも、原稿上の画像データを画像読取手段で読み取って入力することが示されているように、当該技術分野においては周知慣用されている事項であるから、引用例１に記載された発明に前記周知慣用されている画像読取手段を設け画像データを読取るようにすることは、当然必要とされる自明な手段の単なる付加にすぎず、当業者が適宜なし得ることである。
　
（２）前記したように画像処理を実行するためには、対象画像を読み取り、何らかの処理をし、そして処理済みの画像を出力することが最低限要求されることは、当技術分野においては、自明な技術常識であって、画像を読み取るときは、装置は画像読取用のモードにされ、画像を出力するときには、装置は画像出力用のモードにされることは当業者には明かであるところ、例えば、原審が拒絶の理由で引用した特開昭６２−１２０７７７号公報に記載の文書処理装置は、複数の処理状態を有し、入力処理、編集処理、登録処理、更新処理、及び表示出力処理のそれぞれの処理状態において、その処理モードにされ動作することが記載されているから、引用例１に記載された発明に画像読取用のモードと画像出力用のモードとのいずれかのモードを設定するモード設定手段を付加することは、当業者が適宜なし得る設計事項程度のことである。
　
（３）引用例１には、
（Ａ）「画像情報の中、画情報のある領域のみを切り出し、階層構造として領域毎に圧縮してファイルすることにより、短い時間で、しかも少い使用メモリ量で画像の移動、拡大等の処理を行なえる」（前記（イ）参照。）
（Ｂ）「このファイル圧縮法では、画像を領域単位で移動したり拡大縮小する処理などでは、容易に行なう事が可能であるという効果がある」（前記（エ）参照。）、及び
（Ｃ）「必要な階層において処理を行なう時、その処理部分を含む或る階層の一部の領域だけを取り出して処理を行なうことができるという利点がある。さらに、その処理も、移動に対してはヘッダを変えるだけであるとか、拡大、縮小などの画像変換は一部についてのみ行なえばよいため、容易にかつ処理時間も短く行なうことができ、使用メモリも少なくてよい」（前記（キ）参照。）
と記載されており、
　この記載によれば、引用例１に記載された発明は、少なくとも、画像を、ファイルメモリ８に対応して記憶されている位置情報によって領域単位で、すなわち有効画像データブロック単位で移動、拡大、又は縮小処理するものであり、そして、当技術分野の技術常識によれば、引用例１に記載された発明は、画像を、ファイルメモリ８に対応して記憶されている位置情報によって領域単位で、移動、拡大、又は縮小処理して出力することを意図した発明であると考えるのが自然である。
　しかるに、画像データブロックを、この画像データブロックに対応して記憶されている位置情報によって定められた位置に配置して出力することは、例えば、原審が拒絶の理由で引用した特開昭６２−１２０７７７号公報（第２頁左下欄第４〜１７行参照。）、特開昭６０−１６０４７５号公報（第１頁特許請求の範囲の第２，３項、及び第３頁左上欄第５行〜同頁右上欄第３行参照。）、および、特開昭６２−２１２７７３号公報（第３頁左下欄第１〜１３行参照。）にその記載がある）ように周知慣用されている事項であるから、有効画像データブロックを、画像データ記憶手段に対応して記憶されている位置情報によって定められた位置に配置することにより、画像データとして出力する出力制御手段を設けることは、当業者が適宜なし得る設計事項レベルのことである。
　
５．むすび
　以上のとおり、本願発明は、引用例１に記載された発明、及び周知技術とに基いて当業者が容易に発明をすることができたものであるから、特許法第２９条第２項の規定により特許を受けることができない。
　よって、結論のとおり審決する。